(57)【要約】【課題】コーヒー、紅茶、緑茶等を飲用する場合に使用するもので、コーヒーや茶葉を収容したカップや湯呑み茶碗の上端中央に確実に保持させ、袋体を大きく開口させて容易に且つ安心して注湯のできる飲料用抽出バッグを提供しようとするものである。【解決手段】上端に開口部ａを有する透水性袋体１の前後の外表面に、カップの上端に保持させるための係止部材２を固定した飲料用抽出バッグにおいて、係止部材２は袋体１に添着した固定片３に、これに折り曲げ自在に連設した横片９と、この横片９の中央部に連設した縦片１０とよりなるＴ字型のアーム片４を設け、上記縦片１０の左右には係止片５を折り曲げ自在に連設し、この係止片５にカップの上端に嵌合する係止溝１２を形成したことを特徴とする。【選択図】        図１
2005006733.tif 000002
【特許請求の範囲】
【請求項１】
上端に開口部を有する透水性袋体の前後の外表面に、カップの上端に保持させるための係止部材を固定した飲料用抽出バッグにおいて、係止部材は袋体に添着した固定片に、これに折り曲げ自在に連設した横片と、この横片の中央部に連設した縦片とよりなるＴ字型のアーム片を設け、上記縦片の左右には係止片を折り曲げ自在に連設し、この係止片にカップの上端に嵌合する係止溝を形成したことを特徴とする飲料用抽出バッグ。
【請求項２】
係止溝の入口を狭く、内部を広く形成し、且つ係止片には、上記係止溝の入り口を拡張する折り曲げ片を形成したことを特徴とする請求項１記載の飲料用抽出バッグ。
【請求項３】
袋体の上下に開口部を設けると共に、袋体の上部位置に固定片を添着し、且つ係止片を縦片の上側及び下側に折り曲げ自在に連設したことを特徴とする請求項１記載の飲料用抽出バッグ。
【発明の詳細な説明】
【０００１】
【発明の属する技術分野】
本発明は、コーヒーカップや湯呑み茶碗の上端中央に保持させ、コーヒーや緑茶をドリップ式で注ぐ抽出バッグであり、袋体を大きく開口して、容易に注湯できるようにした飲料用抽出バッグに関するものである。
【０００２】
【従来の技術】
本出願人は、特開２０００−３１０８３２号公報に示すように、上端を開口する透水性袋体の前後の外表面に、カップ等の上端に保持するための係止部材を固定した飲料用抽出バッグを出願した。
【０００３】
上記係止部材は、袋体に添着した前後の固定片に、袋体の略中央部の外側に展開するアーム片を接続し、アーム片の左右には係止片を対設し、この係止片に係止溝を配設したものであり、袋体の上端を開口させた後、前記アーム片を外側に展開し、係止片を折り曲げ線に沿って下向きに折り曲げ、下向きになった係止溝をカップ等の上端に引っ掛け、開口した袋体に湯を注ぎ、ドリップ方式によりコーヒーや緑茶を抽出しようとするものである。
【０００４】
この抽出バッグは、アーム片を外側に引っ張って袋体を開口させた場合、或いは袋体内のコーヒーや茶葉が注湯により重くなって袋体が沈み、アーム片による引っ張り力が働いた場合、固定片が湾曲したり折れ曲がって袋体の開口端が小さくなり、袋体内への注湯が困難になることがあった。
【０００５】
しかも左右の係止溝をカップの上端に嵌合した場合、カップの上端の厚さにより、嵌合に緩みを生じたり、反対に固くて嵌合が困難となることがあった。
【０００６】
また横方向に展開した係止片から袋体の下端までの間隔は変更することができないので、浅いカップの場合は袋体の下端がカップの下端に接触し、係止溝がカップの上端から外れることがあった。
【０００７】
【発明が解決しようとする課題】
本発明は、コーヒー、紅茶、緑茶等を飲用する場合に使用するもので、コーヒーや茶葉を収容したカップや湯呑み茶碗の上端中央に確実に保持させ、袋体を大きく開口させて容易に且つ安心して注湯のできる飲料用抽出バッグを提供しようとするものである。
【０００８】
【課題を解決するための手段】
請求項１の発明は、上記の目的を達成するために、上端に開口部を有する透水性袋体の前後の外表面に、カップの上端に保持させるための係止部材を固定した飲料用抽出バッグにおいて、係止部材は袋体に添着した固定片に、これに折り曲げ自在に連設した横片と、この横片の中央部に連設した縦片とよりなるＴ字型のアーム片を設け、上記縦片の左右には係止片を折り曲げ自在に連設し、この係止片にカップの上端に嵌合する係止溝を形成したことを特徴としている。
【０００９】
この発明は、袋体の上端を開口した後、前後のアーム片を外側に略水平に展開して両縦片の左右の係止片をそれぞれ下側に折り曲げ、左右の係止溝をカップの上端に嵌合することにより、カップの上端中央部に左右の係止片を跨らせて袋体を浮上状態で保持し、袋体内に徐々に注湯する。
【００１０】
袋体を開口してアーム片を横方向に展開した場合、固定片に連設された横片は水平状態となって、固定片の湾曲とか折れ曲がりを阻止するため、袋体は大きく開口する。また外側に略水平に展開した縦片は、下側に折り曲げた係止片により補強されるため、注湯により袋体内のコーヒーや茶葉が重くなっても、折れ曲がることがない。
【００１１】
請求項２の発明は、請求項１の発明における係止溝の入口の幅を狭く、内部の幅を広く形成し、且つ係止片には、上記係止溝の入口の幅を拡張する折り曲げ片を形成したことを特徴としている。
【００１２】
この発明は、請求項１と同様に使用するものであるが、カップの上端の厚みが薄い場合は、係止溝の幅の狭い入口がカップの上端に嵌合する。またカップの上端が厚い場合は、係止片に設けた折り曲げ片が側方へ折れ曲がって、カップの外側面に密接すると共に、係止溝の入口が拡張されて緊密に嵌合する。この場合、折り曲げ片は、カップの外側面に密着する。
【００１３】
請求項３の発明は、請求項１の発明において、袋体の上下に開口部を設けると共に、袋体の上部位置に固定片を添着し、且つ係止片を縦片の上側及び下側に折り曲げ自在に連設したことを特徴としている。
【００１４】
この発明は、深いコーヒーカップの場合は、袋体の開口部から横に展開したアーム片までの間隔が短い側の開口部を上側にして、この開口部を開封した後、前後の縦片の係止片を下側に折り曲げ、左右の係止溝をコーヒーカップの上端に嵌合し、カップの上端中央部にアーム片を跨らせて袋体に保持させる。
【００１５】
浅い湯呑み茶碗の場合は、深いカップの場合とは反対に、袋体の開口部から横に展開したアーム片までの間隔が長い側を上側にして、上側になった開口部を開封した後、前後のアーム片を外側に略水平に展開し、両アーム片の左右の係止片をそれぞれ下側に折り曲げ、左右の係止溝を湯呑み茶碗の上端に嵌合することにより、湯呑み茶碗の上端中央部に左右の係止片を跨らせて袋体を浮上状態で保持し、大きく開口した袋体内に徐々に注湯する。
【００１６】
【発明の実施の形態】
本発明に係る飲料用抽出バッグは、袋体には透水性のある不織布、或いは微細メッシュのナイロン製の包材を使用する。係止部材には腰のある紙を一般に使用する。
【００１７】
以下、本発明に係る請求項１の飲料用抽出バッグの実施の形態を、図１〜図３に基づいて具体的に説明する。図１は飲料用抽出バッグの正面図、図２は使用状態の縦断面図、図３は使用状態の平面図である。
【００１８】
図中の符号１は微細メッシュのナイロン製の袋体であり、コーヒーを入れて上端の開口部ａを密封している。符号２は腰のある紙製素材を打ち抜いて形成した係止部材であり、袋体１の表外壁面と裏外壁面とに添設している。この係止部材２は、門型形状の固定片３とＴ字型のアーム片４と係止片５とにより形成している。上記固定片３は、袋体１の横幅の約１／２の長さの横片部６と、その両端に設けた下向きの縦片部７とよりなり、アーム片４は、固定片３における横片部６に折り曲げ線８を介して連設した横片９と、この横片９の中央部に連設した縦片１０とよりなり、係止片５は、縦片１０の左右に折り曲げ線１１を介して連設し、この係止片５には左右対称的に係止溝１２を並設している。尚、符号１３は切り目線であり、ｃは開口用矢印である。
【００１９】
図２に示すように、上端の開口部ａを開封した後、前後のアーム片４を外側に展開すると共に、左右の係止片５を下側に折り曲げ、互いに水平方向に引っ張って下向きになった適宜の係止溝１２をコーヒーカップ１４の上縁に嵌合し、袋体１内に注湯してコーヒーを抽出する。袋体１に添着した固定片３の横片部６は、水平に展開した横片９と連結しているため、図３に示すように直線状態が保持される。その結果、袋体１の上端は略四角形に大きく開口し、容易に注湯し得るのである。
【００２０】
次に、本発明に係る請求項２の飲料用抽出バッグの実施の形態を、図４〜図６に基づいて具体的に説明する。図４は飲料用抽出バッグの正面図、図５は使用状態の要部を示す正面図，図６は同上要部の縦断面図である。
【００２１】
この飲料用抽出バッグは、上端が厚肉のコーヒーカップ１４や湯呑み茶碗１５にも使用できるように、前記実施形態における各係止片５に、係止溝１２を拡張するための折り曲げ片１６を、折り曲げ線１７を介して形成している。
【００２２】
前記実施形態の場合と同様に、袋体１の開口部ａを開封した後、固定片３からアーム片４を起こし、左右の係止片５を折り曲げ線８に沿って下側に折り曲げ、アーム片４を外側へ略水平に引っ張って係止片５に形成した適所の係止溝１２をコーヒーカップ１４の上端中央部に嵌入すれば、袋体１は図３に示すように、左右を横片部６により直線状に引っ張られ、大きく開口してカップ１４内に浮上した状態で確実に保持されるのである。
【００２３】
しかし、コーヒーカップ１４の上端が厚肉のため、係止溝１２の入口への嵌合が困難な場合、これを無理に押し込むと、止片５に設けた折り曲げ片１６が図５，図６に示すように、折り曲げ線１７に沿って互いに外側へ折れ曲がり、係止溝１２の入口が拡張されてカップ１４の上端に嵌合すると共に、左右の折り曲げ片１６はカップ１４の外側面に密接するのである。
【００２４】
次に、本発明に係る請求項３の飲料用抽出バッグの実施の形態を、図７及び図８を参照して詳述する。図７は飲料用抽出バッグの正面図、図８は使用状態を示す縦断面図である。
【００２５】
この飲料用抽出バッグは、コーヒーカップや湯呑み茶碗の底の深さに応じて使い分けができるものであり、袋体１の上下に開口部ａ及びｂを設けると共に、袋体１の上部に係止部材２を添着している。しかもアーム片４における左右の係止片５を、縦片１０の上側及び下側に折り曲げ自在に連設している。
【００２６】
この発明は、前記実施形態の場合と同様に、袋体１は大きく開口してコーヒーカップ１４内に浮上した状態で保持されるものであるが、深いコーヒーカップ１４の場合は、図８に実線で示すように、袋体１の開口部ａを上側にして、この開口部ａを開封した後、前後の縦片１０の係止片５を下側に折り曲げ、左右の係止溝１２をコーヒーカップ１４の上端に嵌合すれば、袋体１はカップ１４の上端中央部に浮上した状態で保持される。
【００２７】
底の浅い湯呑み茶碗１５の場合は、図８に鎖線で示すように、袋体１を反転して上側になった開口部ｂを開口した後、袋体１の前後の縦片１０を横に展開し、各係止片５を下側に折り曲げ、左右の係止溝１２を湯呑み茶碗１５の上端に嵌合すれば、袋体１は茶碗１５の上端中央部に浮上した状態で保持される。
【００２８】
【発明の効果】
本発明に係る飲料用抽出バッグは、以上説明した形態で実施され、以下に記載するような効果を奏する。
【００２９】
請求項１〜３の飲料用抽出バッグは、袋体を開口してアーム片を横方向に展開した場合、固定片に連設された横片は水平状態となって固定片の湾曲とか折れ曲がりを阻止するため、袋体は大きく開口する。従って、容易に且つ安心して注湯することができる。
【００３０】
請求項２の飲料用抽出バッグは、係止溝の入口を狭く、内部を広く形成し、しかも係止片に折り曲げ片を設けたから、カップの厚さに関係なく使用することができる。
【００３１】
請求項３の飲料用抽出バッグは、袋体の上下に開口部を設けると共に、袋体の上部位置に固定片を添着し、且つ係止片を縦片の上側及び下側に折り曲げ自在に連設したから、袋体を上下に反転することにより、深いコーヒーカップにも、浅い湯呑み茶碗にも、袋体を浮上した状態でセットすることができる。
【図面の簡単な説明】
【図１】請求項１の本発明に係る飲料用抽出バッグの正面図である。
【図２】同上飲料用抽出バッグの使用状態を示す縦断面図である。
【図３】同上使用状態の平面図である。
【図４】請求項２の発明に係る飲料用抽出バッグの正面図である。
【図５】同上飲料用抽出バッグの使用状態における要部を示す正面図である。
【図６】同上要部の縦断面図である。
【図７】請求項３の発明に係る飲料用抽出バッグの正面図である。
【図８】同上飲料用抽出バッグの使用状態を示す縦断面図である。
【符号の説明】
１        袋  体
ａ，ｂ    開口部
２        係止部材
３        固定片
４        アーム片
５        係止片
６        横片部
７        縦片部
８        折り曲げ線
９        横  片
１０      縦  片
１１      折り曲げ線
１２      係止溝
１３      切り目線
１４      コーヒーカップ
１５      湯呑み茶碗
１６      折り曲げ片
１７      折り曲げ線
【図１】
2005006733.tif 000003
【図２】
2005006733.tif 000004
【図３】
2005006733.tif 000005
【図４】
2005006733.tif 000006
【図５】
2005006733.tif 000007
【図６】
2005006733.tif 000008
【図７】
2005006733.tif 000009
【図８】
2005006733.tif 000010